(57)【要約】      （修正有）【課題】通常の工具でも締付が容易になり、しかも、高所の作業でも安全且つ確実に行える接続端子函補助クランプを提供する。【解決手段】長手中央に締付ボルトを貫通させ固定ナットで締め付ける一対の挟着体１０を形成する。該挟着体１０の長手両端部の対向する側面に、挟着溝１１を相対向するように形成する。挟着体１０は四角いブロック形状を成す。挟着体１０の対向する側面に挟着面１２を四角形の平面状に形成する。該挟着面１２の裏がわに四角形状の外側面１３を形成する。外側面１３の長手両端部に面取り部１４を形成して外側面１３から挟着面１２の長手端部に沿って連続する丸みを設ける。【選択図】図５
0003168809.tif 000002
【実用新案登録請求の範囲】
【請求項１】
既設つり線に懸吊された接続端子函を、既設つり線ごと新しい線状部材に架け替える工事に使用する接続端子函補助クランプにおいて、四角いブロック形状を成した挟着体の中央に締付ボルトを貫通せしめる貫通孔を開穿し、重ねた一対の挟着体の貫通孔に締付ボルトを挿通し、該締付ボルトにネジ止めした固定ナットで一対の挟着体を締め付けるように構成し、該挟着体の長手両端部の対向する各側面に、新しい線状部材の側面と既設つり線の側面とをそれぞれ保持する挟着溝を相対向するように形成したことを特徴とする接続端子函補助クランプ。
【請求項２】
前記一対の挟着体を重ねたときに対向する面を平面状の挟着面として形成し、該挟着面の長手両端部に前記挟着溝を形成し、挟着面の裏がわに位置する外側面の長手両端部に面取り部を形成し、該面取り部で外側面から挟着面の長手端部に沿って連続する丸みを設けた請求項１記載の接続端子函補助クランプ。
【請求項３】
前記挟着体は、挟着体の外側面に、前記貫通孔を囲む肉厚状の補強環部と、該補強環部に隣接する外側面の肉厚を薄くして形成した軽量凹部と、補強環部から挿通孔に至る肉厚状の補強条部とを形成した請求項１又は２記載の接続端子函補助クランプ。
【考案の詳細な説明】
【技術分野】
【０００１】
本考案は、架空ケーブルの吊り線張替え工事若しくは吊り線延長工事に用いる接続端子函補助クランプに関する。
【背景技術】
【０００２】
従来、電柱に接続端子函を吊下げている吊り線が錆付くなど経年劣化した場合、この吊り線を新しい吊り線に交換する吊り線張替え工事が行われる。この場合、接続端子函がまだ使用可能なときは、図６に示すごとく、この接続端子函Ｐ吊下げている既設つり線Ｓを切断し、この既設つり線Ｓごと新しい吊り線Ｑに架け替える作業が行われている。
【０００３】
この作業では、特許文献１に記載された接続端子函補助クランプが使用される。この接続端子函補助クランプ１００は、図７に示すごとく、上部の新しい吊り線Ｑを挟着する一対の挟着体１１０と、下部の既設つり線Ｓを挟着する一対の挟着体１２０とに１本の連結ボルト１３０を挿通し、各挟着体１１０、１２０を夫々の固定ナット１１５、１２５で締付けるものである。
【０００４】
従来の接続端子函補助クランプ１００は、吊り線Ｑの新旧張替え工事のほか、電柱を移動する際に吊り線Ｑを延長する延長工事にも使用される。この延長工事では、吊り線Ｑを延長する割入れ支持線（図示せず）に、接続端子函補助クランプ１００を連結し、この接続端子函補助クランプ１００に既設つり線Ｓを連結することで、接続端子函Ｐの側壁解体をすることなく移設作業をすることができるものである。
【先行技術文献】
【特許文献】
【０００５】
【特許文献１】実公平５−４５０６７号公報
【考案の概要】
【考案が解決しようとする課題】
【０００６】
特許文献１に示す従来の接続端子函補助クランプ１００を使用した作業では、吊り線Ｑや割入れ支持線に接続端子函補助クランプ１００を連結した際、接続端子函補助クランプ１００の連結ボルト１３０が架空ケーブルＲに接触し、架空ケーブルＲを傷つけるおそれがある。そのため、この架空ケーブルＲの損傷を防止する目的で、接続端子函補助クランプ１００が接触する架空ケーブルＲの表面をスパイラルスリーブ２００で保護し、このスパイラルスリーブ２００の両端部をＰＶＣテープ３００で固定するといった多くの作業が必要になっていた。
【０００７】
また、図７に示すように、従来の接続端子函補助クランプ１００によると、上下に配置した各挟着体１１０、１２０を夫々の固定ナット１１５、１２５で締付ける作業になる。ところが、これら固定ナット１１５、１２５相互の間隔が狭くなっているので、通常サイズのスパナでは締めにくいものであり、接続端子函補助クランプ１００装着時の作業性が悪いといった課題もあった。
【０００８】
一般に、高所での作業では、安全性の観点から使用する工具は少ないほうが望ましい。したがって、接続端子函補助クランプ１００の固定ナット１１５、１２５のように、間隔が狭くなっているからといって別の工具を使用する作業は、高所の作業にとって好ましいものとはいえず、通常の工具でも容易に締付けることができる接続端子函補助クランプが望まれていた。
【０００９】
そこで、本考案は上述の課題を解消すべく案出されたもので、通常の工具でも締付が容易になり、しかも、高所の作業でも安全且つ確実に行える接続端子函補助クランプの提供を目的とするものである。
【課題を解決するための手段】
【００１０】
上述の目的を達成すべく本考案の第１の手段は、既設つり線Ｓに懸吊された接続端子函Ｐを、既設つり線Ｓごと新しい線状部材に架け替える工事に使用する接続端子函補助クランプにおいて、
四角いブロック形状を成した挟着体１０の中央に締付ボルト２０を貫通せしめる貫通孔１５を開穿し、重ねた一対の挟着体１０の貫通孔１５に締付ボルト２０を挿通し、該締付ボルト２０にネジ止めした固定ナット３０で一対の挟着体１０を締め付けるように構成し、
該挟着体１０の長手両端部の対向する各側面に、新しい線状部材の側面と既設つり線Ｓの側面とをそれぞれ保持する挟着溝１１を相対向するように形成したことにある。
【００１１】
第２の手段は、前記一対の挟着体１０を重ねたときに対向する面を平面状の挟着面１２として形成し、該挟着面１２の長手両端部に前記挟着溝１１を形成し、挟着面１２の裏がわに位置する外側面１３の長手両端部に面取り部１４を形成し、該面取り部１４で外側面１３から挟着面１２の長手端部に沿って連続する丸みを設けたものである。
【００１２】
第３の手段において、前記挟着体１０は、挟着体１０の外側面１３に、前記貫通孔１５を囲む肉厚状の補強環部１６と、該補強環部１６に隣接する外側面１３の肉厚を薄くして形成した軽量凹部１７と、補強環部１６から挿通孔１７に至る肉厚状の補強条部１８とを形成したことにある。
【考案の効果】
【００１３】
本考案の請求項１に記載のごとく、挟着体１０の長手両端部の対向する側面に、新しい線状部材の側面と既設つり線Ｓの側面とをそれぞれ保持する挟着溝１１を相対向するように形成し、重ねた一対の挟着体１０の貫通孔１５に締付ボルト２０を挿通し、該締付ボルト２０にネジ止めした固定ナット３０で一対の挟着体１０を締め付けるように構成したことにより、従来の接続端子函補助クランプ１００に比べて極めて簡単な作業で装着することができる。この結果、吊り線Ｑの新旧架け替え工事のほか、電柱を移動する際に吊り線Ｑを延長する延長工事を極めて容易に行えるようになった。
【００１４】
また、請求項２のように、挟着体１０の外側面１３の長手両端部に面取り部１４を形成して外側面１３から挟着面１２の長手端部に沿って連続する丸みを設けているので、図７に示す従来の接続端子函補助クランプ１００のように、吊り線Ｑに接続端子函補助クランプ１００を連結した際、接続端子函補助クランプ１００の連結ボルト１３０が架空ケーブルＲに接触して架空ケーブルＲを傷つけるおそれは解消された。この結果、架空ケーブルＲの表面をスパイラルスリーブ２００で保護し、このスパイラルスリーブ２００の両端部をＰＶＣテープ３００で固定するといった多くの作業は不要になり、取付け作業を簡略化できるものである。
【００１５】
更に、請求項３のように、挟着体１０の外側面１３に、締付ボルト２０を貫通せしめる貫通孔１５を囲む肉厚状の補強環部１６と、該補強環部１６に隣接する外側面１３の肉厚を薄くして形成した軽量凹部１７と、補強環部１６から挿通孔１７に至る肉厚状の補強条部１８とを形成したことで、挟着体１０を貫通する１本の締付ボルト２０と固定ナット３０とによる挟着強度を高めることができる。
【００１６】
すなわち、補強環部１６は、挟着体１０に締付ボルト２０を挿通して固定ナット３０で緊締する際の緊締強度を高めることができる。また、軽量凹部１７は、挟着体１０の重量をできるだけ軽量にして高所への持運び作業を容易にしている。更に、補強条部１８は、挟着体１０の強度を軽量にした状態で高めるもので、特に補強環部１６から補強条部１８を形成することで、バランス良く挟着体１０の強度を高めることに成功した。
【００１７】
したがって、吊り線Ｑ架け替え工事における新旧の吊り線Ｑや、吊り線Ｑの延長工事における割入れ支持線に、それぞれ挟着体１０を確実に装着することができる。しかも、この作業は通常のスパナ１本で行えるので、高所の作業でも電気的な接続を安全、且つ確実に行えるものである。
【図面の簡単な説明】
【００１８】
【図１】本考案の使用状態を示す正面図である。
【図２】本考案の装着時の挟着体を示す斜視図である。
【図３】本考案の挟着体の一実施例を示す斜視図である。
【図４】本考案の挟着体の一実施例を示す正面図である。
【図５】本考案の一実施例を示す一部切り欠き側面図である。
【図６】従来のアースクランプの使用状態を示す正面図である。
【図７】従来のアースクランプの装着状態を示す正面図である。
【考案を実施するための形態】
【００１９】
本考案によると、通常の工具でも締付が容易になり、しかも、高所の作業でも安全且つ確実に行える接続端子函補助クランプを提供することに成功したものである。
【実施例】
【００２０】
以下、本考案を図示例に基づいて説明する。本考案は、既設つり線Ｓに懸吊された接続端子函Ｐを、既設つり線Ｓごと新しい線状部材に架け替える工事に使用する接続端子函補助クランプである（図１参照）。
【００２１】
挟着体１０は、長手中央に締付ボルト２０を貫通させ固定ナット３０で締め付ける一対の部材で、金属材にて四角いブロック形状に設けている（図３参照）。図示例では、対向する側面が平面状に形成された挟着面１２と、該挟着面１２の裏がわに位置する長四角形状の外側面１３とを備えている（図５参照）。
【００２２】
この挟着体１０の長手両端部の対向する側面に挟着溝１１を相対向するように形成している（図５参照）。この挟着溝１１は、吊り線Ｑ架け替え工事における新旧の吊り線Ｑや、吊り線Ｑの延長工事における割入れ支持線を挟着保持するものである。
【００２３】
更に、挟着体１０の外側面１３の長手両端部に面取り部１４を形成し、外側面１３から挟着面１２の長手端部に沿って連続する丸みを設けている（図５参照）。この面取り部１４により、挟着体１０の端部が既設つり線Ｓに接触しても既設つり線Ｓを傷つけるおそれはなくなった。
【００２４】
また、挟着体１０の外側面１３に、締付ボルト２０を貫通せしめる貫通孔１５を囲む肉厚状の補強環部１６を形成している（図４参照）。この補強環部１６は、挟着体１０に締付ボルト２０を挿通して固定ナット３０で緊締する際の緊締強度を高めるようにしている。
【００２５】
更に、この補強環部１６に隣接する外側面１３の肉厚を薄くして軽量凹部１７を形成している（図３参照）。この軽量凹部１７は、挟着体１０の重量をできるだけ軽量にする構成である。
【００２６】
そして、補強環部１６から軽量凹部１７に至る肉厚状の補強条部１８を形成する。この補強条部１８は、挟着体１０の強度を軽量にした状態で高めるもので、特に補強環部１６から補強条部１８を形成することで、バランス良く挟着体１０の強度を高めている。
【００２７】
尚、挟着体１０の形状や外側面１３の各部の形状等は図示例に限られるものではなく、本考案の要旨を変更しない範囲で自由に設計変更することができる。
【産業上の利用可能性】
【００２８】
本考案において、吊り線Ｑ架け替え工事における新旧の吊り線Ｑや、吊り線Ｑの延長工事における割入れ支持線に連結する接続端子函補助クランプとして説明しているが、このほか、架空ケーブルの吊り線と支持線などに接続して使用することが可能である。
【符号の説明】
【００２９】
Ｐ  端子函
Ｑ  吊り線
Ｒ  架空ケーブル
Ｓ  既設つり線
１０  挟着体
１１  挟着溝
１２  挟着面
１３  外側面
１４  面取り部
１５  貫通孔
１６  補強環部
１７  軽量凹部
１８  補強条部
２０  締付ボルト
３０  固定ナット
１００  接続端子函補助クランプ
１１０  挟着体
１１５  固定ナット
１２０  挟着体
１２５  固定ナット
１３０  連結ボルト
２００  スパイラルスリーブ
３００  ＰＶＣテープ
【図１】
0003168809.tif 000003
【図２】
0003168809.tif 000004
【図３】
0003168809.tif 000005
【図４】
0003168809.tif 000006
【図５】
0003168809.tif 000007
【図６】
0003168809.tif 000008
【図７】
0003168809.tif 000009